(57)【特許請求の範囲】
【請求項１】
基板において、パターニングされた第１パターニング導体と、ポリマー分散コレステリック層と、パターニングされた第２パターニング導体と、誘電体層と、導電性材料を含むパターニングされた行及び列と、が順次に形成され、
前記列は接続領域を介して第１パターニング導体と電気的に接続され、前記行は接続ビアを介して第２パターニング導体と電気的に接続され、異なる印加電界に対してそれぞれ対応する透過性フォーカルコニック状態及び反射性プレーナ状態を有する
コレステリック液晶ディスプレイを駆動する装置であって、
ａ）前記印加電界に応じて前記第１パターニング導体と前記第２パターニング導体とが重なり合う部分を選択的に透過性状態又は反射性状態に規定するアドレッシング構造と、
ｂ）第一固定電圧と、該第１固定電圧とは異なる第二固定電圧との間で切り換える手段と、
ｃ）前記第一固定電圧及び第二固定電圧に対応して、各列について２つの選択可能な電圧の一を印加し、且つ各行について２つの選択可能な電圧の一を印加するよう動作する、分圧器手段と、
ｄ）前記重なり合う部分のそれぞれが透過性状態又は反射性状態になるよう、前記分圧器手段が行について２つの電圧の一及び列について２つの電圧の一を供給するように、前記第一固定電圧及び第二固定電圧の一を選択する手段と、
を有する装置。
【請求項２】
前記分圧器手段が直列の抵抗器を有することを特徴とする請求項１に記載の装置。
【請求項３】
適切なダイオードの選択が前記ディスプレイの選択された画素又はセグメントにおいて適切な電圧を供給するように、入力信号に対応させるよう動作する手段をさらに有することを特徴とする請求項１に記載の装置。
【発明の詳細な説明】
【０００１】
【発明の属する技術分野】
本発明は、反射性メモリディスプレイについて電気的な駆動に関する。
【０００２】
【従来の技術】
現在、情報は、永久インクを担持するアセンブルされた紙のシートを用いて表示される、又は陰極線管ディスプレイ又は液晶ディスプレイ等の電気的に変調された面に表示される。他のシート状材料は、切符又は金融情報を担持する磁気的に書き込み可能な領域を担持することが可能であるが、磁気的に書き込まれたデータは視認できない。
【０００３】
現行のフラットパネルディスプレイは、基板としての２つの透明なガラス板を使用する。米国特許第５５０３９５２号明細書で記載されている典型的な実施態様においては、電気的なトレースの集合は、導電性トレースの第１集合を形成する平行なラインのパターンにスパッタリングされる。第２基板は、同様に、透明な導電性コーティングを有するトレースの集合がコーティングされる。コーティングが適用され、その表面は液晶を配向させるように摩擦される。それら２つの基板は間隔を置いていて、それら２つの基板間の空間は液晶材料で満たされる。何れかの集合から導体の対が選択され、液晶材料の光学的透過性を変化させるようにエネルギー供給される。かかるディスプレイは高価であり、現在は、長い寿命を有するアプリケーションに限定されている。
【０００４】
従来のネマチック液晶材料を用いるフレキシブルで電気的に書き込まれるディスプレイのシートの製造については、米国特許第４４３５０４７号明細書に開示されている。第１シートは、透明なインジウム−スズ酸化物（ＩＴＯ）の導電性領域を有し、第２シートは、表示領域に印刷された導電性インキを有する。それらのシートは薄いガラスであることが可能であるが、実際には、Ｍｙｌａｒポリエステルから成るものである。結合剤中の液晶材料の分散は第１シート上にコーティングされ、第２シートは液晶材料に結合されている。液晶材料において動作し、表示領域を露出させるように対向する導電性領域に、電位が印加される。ディスプレイは、通電を切られた場合に画像を表示することを中止するネマチック液晶材料を使用する。プライバシーウィンドーは、従来のネマチック液晶の散乱特質を用いるかかる材料から作られる。ネマチック液晶は、透過性を維持するように連続的な電気的駆動を必要とする。
【０００５】
米国特許第５４３７８１１号明細書においては、従来のパターン化されたガラス基板が有する高分子領域にカイラルネマチック液晶を有する光変調セルについて開示されている。カイラルネマチック液晶は、光の特定の可視波長を反射するプレーナ状態と、光を散乱するフォーカルコニック状態との間で駆動される特性を有している。カイラルネマチック材料は、電界が存在しない所定の状態の一に保つ能力を有している。
【０００６】
文献“Ｌｉｑｕｉｄ  Ｃｒｙｓｔａｌ  Ｄｉｓｐｅｒｓｉｏｎｓ”、Ｗｏｒｌｄ  Ｓｃｉｅｎｃｅ，  Ｓｉｎｇａｐｏｒｅ，  １９９５，ｐａｇｅ  ４０８，  ｂｙ  Ｐａｕｌ  Ｄｒｚａｉｃにおいて、コレステリック液晶ディスプレイの電気的駆動について記載されている。Ｄｒｚａｉｃはまた、“ゼラチンの使用は、しかしながら、電気的にアドレス指定されるＰＤＬＣシステムにおける実際の使用では導電性が高過ぎる物質を生成する”ことを２９頁で述べている。Ｄｒｚａｉｃはさらに、“実際の表示は、電気化学的な劣化を防ぐためにＡＣ信号を必要とする”と述べている。後の特許はＤｒｚａｉｃの仮定に続いている。後の特許、例えば、米国特許第５２５１０４８号明細書、米国特許第５６４４３３０号明細書、及び米国特許第５７４８２７７号明細書のすべてにおいては、ディスプレイのイオン破壊を防ぐためにマトリックスコレステリック液晶ディスプレイについて正味０の単極性電界を有するＡＣ電界が必要である。上記の引用特許は、高価な表示構造を用いて形成されるディスプレイ構造と、ＡＣ駆動スキームを必要とする長寿命の状態に適用可能である処理とを有する。
【０００７】
その駆動スキームは、各要素がイオン移動を防ぐためにディスプレイにおいて正味０の電界を与える交流電界を用いて書き込まれることを必要とする。ＡＣ駆動は、複数の電源及びライン毎の複数のスイッチング素子を必要とする。
【０００８】
制限された書き込みラインを有する単純なコレステリックメモリディスプレイは、単純な電子ライターを必要とする。かかるライターは、好ましくは、市販されている、単純で、安価な駆動チップである。
【０００９】
【発明が解決しようとする課題】
本発明の目的は、フレキシブルな基板上にコーティングされた高分子分散型コレステリック液晶を使用して生成される低コストなメモリディスプレイについての駆動を提供することである。
【００１０】
本発明の別の目的は、フレキシブルな基板上にコーティングされた高分子分散型コレステリック液晶を駆動する単純で低コストな方法を提供することである。
【００１１】
【課題を解決するための手段】
前述の目的は、
ａ）異なる印加電圧に対してそれぞれ応答する、第１プレーナ反射性状態及び第２透過性フォーカルコニック状態を有するコレステリック液晶を有するディスプレイと；
ｂ）列及び行が重なり合う場合に、それらの列及び行が可視的又は非可視的であるように選択可能な画素を規定するように、配列された導体の複数の行及び列を有するアドレッシング構造と；
ｃ）第１固定電圧と第２固定電圧との間で切り換える手段と；
ｄ）各列の２つの選択可能な電圧の一、及び各行の２つの選択可能な電圧の一を提供する第１固定電圧及び第２固定電圧に応答する分圧器手段と；
ｅ）特定の画素又はセグメントにおける電圧がかかる画素又はセグメントが透過性状態又は反射性状態にあるようにするように、分圧器手段が列についての２つの電圧の一及び行についての２電圧の一を供給するようにするために、第一固定電圧及び第二の固定電圧の一を選択する手段、
を有するコレステリック液晶ディスプレイを駆動する装置により達成される。
【００１２】
本発明は、かかるディスプレイを駆動するために必要な電圧を低減し、及び電圧スイッチング素子及び電源の数を減少させることができる。本発明の特徴は、ディスプレイに書き込むように単一駆動チップ及び単一電源を必要とすることである。
【００１３】
【発明の実施の形態】
図１は、本発明に従って製造されたディスプレイ１０についての新しい構造の等角図の一部を示している。ディスプレイ１０はフレキシブルな基板１５を有し、そのフレキシブルな基板１５は、２０乃至２００ミクロンの範囲内の厚さを有するポリエステルプラスチックから成るコダックエスター（Ｋｏｄａｋ  Ｅｓｔａｒ）フィルムベース等の薄い透明な高分子材料である。例示としての実施態様においては、基板１５は、ポリエステルフィルムベースの１２５ミクロンの厚さのシートである。透明なポリカーボネート等の他のポリマー使用することが可能である。
【００１４】
第一パターニング導体２０が、基板１５上に形成される。第一パターニング導体２０は、スズ酸化物又はインジウム−スズ酸化物（ＩＴＯ）であることが可能であり、ＩＴＯは好ましい材料である。一般に、第一パターン化導体２０の材料は、２５０Ω／□より小さい抵抗を有する基板１５上の層としてスパッタリングされる。次いで、その層は、何れかの既知の手法で第一パターニング導体２０を形成するようにパターニングされる。代替として、第一パターニング導体２０は、銅、アルミニウム又はニッケル等の不透明な電気導電性物質であることが可能である。第一パターニング導体２０が不透明な金属である場合、その金属は、光を吸収する第一パターニング導体２０を生成する金属酸化物であることが可能である。第一パターニング導体２０は、従来のリソグラフィー若しくはレーザーエッチング手段によって導電性の層に形成される。
【００１５】
ポリマー分散コレステリック層３０が、第一パターニング導体２０に重ねられる。ポリマー分散コレステリック層３０は、参照文献として組み入れられている、米国特許第５６９５６８２号明細書に開示されているようなポリマー分散コレステリック液晶材料を有する。様々な強度及び継続期間の電界の印加は、カイラルネマチック材料（コレステリック）を反射状態に、伝達状態に、又は中間状態に駆動することが可能である。前述の材料は、電界が除去された後に与えられた状態を無期限に維持するという長所を有する。コレステリック液晶材料は、米国ニューヨーク州ハーソン（Ｈａｗｔｈｏｍｅ）のイーエムインダストリー（Ｅ．Ｍ．Ｉｎｄｕｓｔｒｉｅｓ）製のＭｅｒｃｋＢＬ１１２、ＢＬ１１８又はＢＬ１２６であることが可能である。
【００１６】
好ましい実施態様において、ポリマー分散コレステリック層３０は、脱イオン化された写真用ゼラチン内に分散されたイーエムインダストリー（Ｅ．Ｍ．Ｉｎｄｕｓｔｒｙ）のコレステリック材料ＢＬ１１８である。液晶材料は、５％の脱イオン化されたゼラチン水溶液中に８％の濃度で分散される。その混合物は、懸濁液中に１０ミクロンの直径の液晶の領域を生成するように分散される。その材料は、９ミクロンの厚さのポリマーが分散したコレステリックコーティングを与えるようにパターニングされたＩＴＯポリエステルシート上にコーティングされる。ポリビニルアルコール（ＰＶＡ）又はポリエチレン酸化物（ＰＥＯ）等の他の有機結合剤を使用することが可能である。そのような複合物は、写真フィルムに関連した設備において機械でコーティングすることが可能である。
【００１７】
第二パターニング導体４０は、ポリマー分散コレステリック層３０に重ねられている。第二パターニング導体４０は、ポリマー分散コレステリック層３０を横切って電界を運ぶための十分な伝導性を有するべきである。第二パターニング導体４０は、アルミニウム、スズ、銀、プラチナ、炭素、タングステン、モリブデン、スズ、インジウム又はそれらの材料の組み合わせ等の材料を用いて真空中で形成されることが可能である。第二パターニング導体４０は、堆積層の形で示されている。上記金属の酸化物は、第二パターニング導体４０を黒っぽくするために使用されることが可能である。金属材料は、抵抗加熱、陰極アーク、電子ビーム、スパッタリング又はマグネトロン励起からのエネルギーによって励起されることが可能である。スズ酸化物又はインジウム−スズ酸化物のコーティングは、第二パターニング導体４０が透明であることを可能にする。
【００１８】
好ましい実施態様において、第二パターニング導体４０は、アキソンコーポレーション（Ａｃｈｅｓｏｎ  Ｃｏｒｐｏｒａｔｉｏｎ）製のＥｌｅｃｔｒｏｄａｇ４２３ＳＳスクリーン印刷可能な電気導電性材料等の導電性インキが印刷されている。かかる印刷された材料は、熱可塑性樹脂における微細に分割された黒鉛粒子である。第二パターニング導体４０は、ディスプレイのコストを低減するように印刷されたインキを用いて形成される。基板１５のためのフレキシブルな支持体、第一パターニング導体２０を形成するためのレーザーエッチング、機械的にコーティングされたポリマー分散コレステリック層３０、及び印刷された第二パターニング導体４０の使用は、非常に低コストのメモリディスプレイの製造を可能にする。前述の方法を用いて形成される小さなディスプレイは、安価で、制限された書き換えの適用のために電子的に書き換え可能なタグとして使用することができる。
【００１９】
誘電体が第二パターニング導体４０上に印刷されることができ、行４５を確定するようにトレースを成形する導電性トレースと第二パターニング導体４０との間に相互接続を可能にするバイアス（ｖｉａｓ）を介して開口部を有することができる。行４５は、第二パターニング導体４０を形成するように使用される同様のスクリーン印刷された導電性材料であることが可能である。
【００２０】
図２は、カード１２に付されている、図１におけるディスプレイ１０の組み立て図である。カード１２は、一つの表面に情報が印刷された、ほぼ０．５ミリメートルの厚さの透明なシートである。印刷されていない領域１３は、カード１２の反対側に結合されている、ディスプレイ１０の内容を見るための透明なウィンドウを提供する。この実施例でのディスプレイ１０は、透明な基板１５を有し、取り付け処理中は図１に示される位置とは反転している。ディスプレイ１０に書き込まれた情報は、カード１２の印刷されていない領域１３を通して及び透明な基板１５を通して見ることができる。取り付けられたディスプレイ１０を有するカード１２はホルダー（図示せず）に挿入されることが可能であり、接触部１４は、ディスプレイ１０において情報を更新するように、ディスプレイ１０の第一パターニング導体２０及び行４５への挿入処理中に接続することが可能である。ディスプレイ１０は、典型的には１００００回未満の更新された最新の画像を要求する金融取引カード（クレジット／デビット）として使用することができる。
【００２１】
図３Ａ及び図３Ｂは、コレステリック液晶の２つの安定した状態を示している。図３Ａにおいて、高電圧電界が印加され、コレステリック液晶をプレーナ状態２２に変換する、０電位に迅速に切り換えられる。プレーナ状態２２のコレステリック液晶に入射する入射光２６は、明るい画像を生成するように反射光２８として反射される。図３Ｂにおいて、低電圧電界の印加は、コレステリック液晶を透過性のフォーカルコニック状態２４のままにする。入射光２６が透過性のフォーカルコニック状態２４にあるコレステリック液晶に入射する場合は常に、かかる光は透過する。液晶物質がフォーカルコニック状態２４にある場合に黒っぽい画像を生成するように入射光２６を吸収する第二パターニング導体４０は黒色であることが可能である。結果として、視聴者は、コレステリック材料がプレーナ状態２２であるか又はフォーカルコニック状態２４であるかに依存して、明るい画像又は暗い画像を知覚する。
【００２２】
図４は、パルス化電界に対するコレステリック材料の応答についてのプロットである。かかる曲線については、米国特許第５４５３８６３号明細書及び米国特許第５６９５６８２号明細書に記載されていて、また前述の引用されたＤｒｚａｉｃによる文献にも記載されている。一般に、５乃至２００ミリ秒の範囲内の所定のパルス時間の間に、所定電圧におけるパルスはコレステリック液晶の光学的状態を変化させる。コレステリックディスプレイについて書き込まれる従来技術は、高価な従来のフラットパネルディスプレイの処理を使用することを構築している。従って、従来技術の電流状態は、コレステリックディスプレイがイオンによる損傷を回避するように双極性電圧駆動スキームを必要とする。その双極性電圧駆動は、各駆動ラインについて、少なくとも２つの電圧及び２つの別個の半導体スイッチング素子を必要とする。
【００２３】
実施例においては、好ましい実施態様に対して分散され且つコーティングされた、ゼラチンが分散されたコレステリック材料が、ポリマーが分散されたコレステリック層３０を形成するようにＩＴＯがコーティングされたフレキシブルな基板１５上にコーティングされる。１インチ四方の導電性パッチが、そのコーティングにおいて電界を印加するように、ゼラチンが分散されたコレステリック材料上に印刷された。２０ミリ秒の単極性電界は、プレーナ状態とフォーカルコニック状態との間でその材料の状態を切り換えるように５秒ごとにディスプレイ１０において切り換えられる。ゼラチンが分散されたコレステリック材料は、１００００回の書き換えの制限された寿命試験を経て駆動された。その寿命試験は、ディスプレイ１０に対する連続的に印加される単極性電圧の２００秒と等価であった。テスト・パッチは、寿命試験を通して明らかな視認性の劣化を伴うことなく動作した。その場合、寿命試験は１０００００回サイクルまで長続きした。そのディスプレイ１０における試験は、殆ど劣化なしで実行し続けられた。この実施例により、印刷された導体を有するフレキシブルな基板１５上のポリマー分散コレステリック材料は、少なくとも、限定された寿命のディスプレイのアプリケーションについて必要な限定された寿命サイクルについて単極性（ＤＣ）電界により駆動されることができるという結論を得た。かかる駆動スキームからの表示の利点は、単一電圧において動作する安価で、簡単なスイッチングチップを使用することができる。
【００２４】
図５は、単極性駆動スキームを用いて書き込まれたコレステリック液晶素子のマトリックス配列の模式図である。行電圧ＶＲは選択された行においてＶ３とＶ４との間の中間に設定される一方、残りの列は接地電圧に設定されている。正又は負のカラム電圧Ｖｃは、画素の行の好ましい最終状態に応じて、フォーカルコニック電圧Ｖ３か又はプレーナ電圧Ｖ４のどちらかに対してＶＲをオフセットするように全ての列４７において設定される。正の列電圧ＶＲ−Ｖ３及び負の列電圧Ｖ４−ＶＲは、接地電位における行が妨害電圧Ｖ１より小さい電圧にあり、且つ変化しないように、妨害電圧Ｖ１より小さい。これらの材料特性は一連の列の書き込みを可能にする。
【００２５】
図６は、本発明に従ったマトリックスアドレッシング構造を有するディスプレイ１０の特定の実施態様の正面図である。かかる実施態様においては、ディスプレイ１０は、列４７としての役割を果たす各文字の下の７つの列及び透明な電極を形成するように接続されるように、構築された２つの７セグメント文字を有する。基板１５を通してみると、透明な導電層は、各７セグメント文字における透明な導電性電極である第１パターニング導体２０を確定するエッチライン２１を有する。ポリマーが分散されたコレステリック層３０は、パターン化された第１パターニング導体２０の背後にコーティングされている。ポリマーが分散されたコレステリック材料３０の一部は、各文字についての接続領域３２を形成するように除去される。第２パターニング導体４０は、第１パターニング導体２０の境界における各文字の７セグメントを形成するように印刷されている。誘電体４２は、ディスプレイを横断して印刷され、第２パターニング導体４０により成形された各文字セグメントへの電気的な接続を可能にする貫通ビアを有している。導電性材料の最終層は、行４５及び列４７を形成するようにディスプレイの背面において印刷されている。
完成されたディスプレイは、アドレス可能なマトリックスのコレステリックディスプレイである。ディスプレイ１０は、合計９ライン未満の駆動されるラインについて、２つの文字の各々のために７つの行４５及び２つの列４７を有する。単一ドライバーチップを有するディスプレイ１０を駆動することは有利である。列４７の１つ及び行４５に接続された第２パターニング導体４０が重なり合っている場合、それらは、可視又は非可視であるように、選択可能な画素又はセグメントを確定する。
【００２６】
図７は、米国特許第５６４４３３０号明細書の教示に基づく図１のディスプレイを駆動するように使用される典型的な従来技術の電気的なスキームである。４つの電源が、＋Ｖｃ、−Ｖｃ、＋ＶＲ、−ＶＲ及び接地を供給するように必要である。各ライン出力は、マトリックス表示の各ラインへの３つの電圧の１つに切り替える必要がある。米国特許第５７４８２７７号明細書に開示されているような従来の双極性駆動スキームは、Ｓｕｐｅｒｔｅｘ  ＨＶ２０４  ８−チャネル高電圧アナログスイッチ（Ｃｈａｎｎｅｌ  Ｈｉｇｈ  Ｖｏｌｔａｇｅ  Ａｎａｌｏｇ  Ｓｗｉｔｃｈ）で見られるような高価なアナログスイッチング素子５５の使用を必要とする。１つのアナログスイッチが、ディスプレイの各トレースに対して適用される各電圧について必要である。かかる高価なチップは、低コストの商業化を阻害している。電源及びアナログスイッチの数が増加する、更に複雑なスイッチングスキームについて、米国特許第５７４８２７７号明細書等の他の特許において開示されている。
【００２７】
図８は、図７で使用されるドライブのより詳細な図である。４つの電源が、＋Ｖｃ、−Ｖｃ、＋ＶＲ、−ＶＲ及び接地を供給するように必要である。別個の駆動チップ、行ドライバー６０及び列ドライバー６５が、行電圧及び列電圧のために必要である。デジタルデータが、行ドライバー６０及び列ドライバー６５のために供給される。それらのドライバーにおけるシフトレジスターのセットは、２値状態のデータを受け取り、ラッチ（ｌａｔｃｈ）する。ラッチされたデータは、高電圧双方向ＤＭＯＳスイッチである、スイッチ５５の動作を制御する。多重スイッチ５５は、ディスプレイ１０の各行又は列に複数の電圧を供給するように組み合わせされる必要がある。
【００２８】
図９は、図７に示されている双極性駆動スキームを用いる従来技術により使用される波形を示している。双極性行電圧ＶＲは、選択された行に印加される一方、双極性列電圧Ｖｃは、行電圧ＶＲと位相が一致して又は位相が一致せずに印加される。双極性電圧の位相が一致していない場合、画素は、Ｖ４に対応する交流の高双極性画素電圧Ｖｐにあり、プレーナ状態（Ｐ）に書き込まれる。それらの２つの電圧の位相が一致している場合、画素はＶ３に対応する交流の低双極性画素電圧Ｖｐにあり、フォーカルコニック状態（ＦＣ）に書き込まれる。接地状態（０）で保たれている列４７は、Ｖ４とＶ３との間の電圧差の半分に相当する交流ＡＣ電界としての交流の双極性列電圧Ｖｃにある。列電圧は、書き込まれずに接地された行の画像状態を保つように、妨害電圧Ｖ１より小さい。
【００２９】
本発明に従った駆動スキームの概要が図１０に示されている。単一ドライバーチップ６７は、受動部分７０を用いるディスプレイ１０に単極性電界を印加するように使用される。高価なアナログのスイッチの代わりに、新しい駆動は、例示としての実施態様９０において、固定された高電圧と、接地である第２の低電圧との間の出力のセットを切り換えるように、単純なプッシュプル出力を使用する。かかるチップは、単一チップ電圧又は接地間の各出力５６を切り換える、シフトレジスター５０のセットによって制御される６４個の出力ラインのセットを有する、ＳＴ  Ｍｉｃｒｏｅｌｅｃｔｒｏｎｉｃｓ社製のＳＴＶ７６９９  ｐｌａｓｍａ  ｄｉｓｐｌａｙ  ｄｒｉｖｅｒであってもよい。例示としての実施例においては、妨害電圧Ｖ１は２０ボルトであり、フォーカルコニック電圧Ｖ３は６０ボルトであり、プレーナ電圧は９０ボルトである。
【００３０】
図１１は、新しい駆動スキームを用いてディスプレイ１０に書き込むように使用される波形を示している。単一ドライバーチップ６７の一つの出力は、受動部品７０に切り換え可能な単一チップ電圧Ｖｓｃであって、例示としての実施態様において、９０ボルトを供給するように使用される。ディスプレイ１０が書き込まれていない場合、単一のチップ電圧Ｖｓｃが接地に保たれている受動部品７０に供給される。受動部品７０を供給するように９０ボルトが“オン”である場合、行電圧ＶＲは１５ボルトにシフトされる。１５ボルトは、書き込み処理についての接地状態として作用する。真の接地の列電圧Ｖｃとしては、画素電圧Ｖｐについて−１５ボルト電位を名目上印加する。その電圧は、妨害電圧Ｖ１より小さい。データの行は、９０ボルトに対して高い行電圧ＶＲに切り換えることにより書き込まれる。列電圧Ｖｃは、コレステリック液晶をフォーカルコニック状態（ＦＣ）に変換するように３０ボルトに切り換えられ、又はコレステリック液晶をプレーナ状態（Ｐ）に変換するように接地されたまま保たれる。書き込まれていない行は、行が書き込まれるにつれて、列電圧から−１５ボルト及び＋１５ボルトのどちらかになるまで、ゼロ電圧に維持される。１５ボルトのリップルは妨害電圧Ｖ１より小さく、書き込まれていない行における画像データは妨害されない。書き込みの終了時に、単一ドライバーチップ６７の出力すべては“オフ”状態の接地に設定され、ディスプレイ１０に電界は存在しない。
【００３１】
受動部品７０の第一形態が図１２に示されている。受動部品７０は、固定された単一チップ電圧Ｖｓｃから選択出力電圧を供給する分圧器としての役割を果たす、抵抗器のセットを有する。各行の出力における抵抗器の第一セットは、行電圧ＶＲが９０ボルトと１５ボルトとの間で切り替えるようにする。単一ドライバーチップ６７の一つの出力は、行電圧ＶＲを生成するように使用される受動部品７０に単一のチップ電圧Ｖｓｃを供給する。専用の出力ラインを介して単一のチップ電圧Ｖｓｃを供給することは、接地に対してすべての出力を切り換えることにより書き込まれた後にディスプレイ１０が接地されるようにする。各列出力の抵抗器の第２セットは、０ボルトと３０ボルトとの間で列電圧Ｖｃを切り換える。受動部品７０は、列について２つの電圧の一を、そして共通の固定された単一のチップ電圧Ｖｓｃからの行についてそれら２つの電圧の一を供給する。特定の画素又はセグメントに供給される電圧は、かかる画素又はセグメントが透過性又は反射性にあるような単極性電界を提供する。
【００３２】
受動部品７０を使用する第２スキームが図１３に示されている。第２形態は、正確な行電圧ＶＲ及び列電圧Ｖｃを提供するように抵抗器のセット及びダイオード７１を使用する。抵抗器のセットは、各出力の中間電圧を提供し、ダイオード７１は、行電圧ＶＲについての接地電位への切り換え及び列電圧についての単一チップ電圧Ｖｓｃへの切り換えを取り除く。ダイオードの形態は、駆動が高い静電容量を有するディスプレイ１０で使用されるようにする。より高いディスプレイの静電容量により、印加される電圧の立ち上がり時間及び立ち下がり時間はディスプレイの画像品質への影響を増大する。ダイオード７１を有する第１実施態様からの各直列の抵抗器の置き換えは、高い静電容量を有するディスプレイについて迅速な立ち上がり時間及び立ち下がり時間を可能にする。ダイオード７１を有する実施態様においては、単一チップ電圧Ｖｓｃは、出力５６の一を介して再び、この実施態様において受動部品７０の全てのセットに供給される。すべての出力５６の接地への切り換えは、ディスプレイ１０をゼロ電界状態に駆動する。
【図面の簡単な説明】
【図１】  本発明と一致してなされたコレステリック液晶表示の等容の部分的な概観である。
【図２】  カードに付けられている図１の表示の組み立て図解である。
【図３Ａ】  光を反射する平面状態のキラルネマチック物質の概要の断面図である。
【図３Ｂ】  光を伝達する焦点の円錐状態のキラルネマチック物質の概要の断面図である。
【図４】  課された電圧の第一セットを備えたパルスされた電界に対する第一ポリマーを分散したコレステリック物質の反応のプロットである。
【図５】  コレステリック液晶要素のマトリックス配列の概要の表現である。
【図６】  図１の表示の正面図である。
【図７】  図１の表示における先行技術の駆動の電気的な概要である。
【図８】  図７の先行技術の駆動の概要である。
【図９】  図１の表示を駆動するために先行技術によって生成された波形の図解である。
【図１０】  図１の表示上で操作する新規な駆動スキームの電気的な概要である。
【図１１】  図１の表示を駆動するために現行の発明によって生成された波形図である。
【図１２】  図１０での駆動の第一実施態様の詳細である。
【図１３】  図１０での駆動の第二実施態様の詳細である。
【符号の説明】
１０  ディスプレイ
１２  カード
１３  印刷されていない領域
１４  接触部
１５  基板
２０  第１パターニング導体
２１  エッチライン
２２  プレーナ状態
２４  透過性フォーカルコニック状態
２６  入射光
２８  反射光
３０  ポリマー分散コレステリック層
３２  接触領域
４０  第２パターニング導体
４２  誘電体
４５  行
４７  列
５０  シフトレジスター
５５  スイッチング素子
６０  行ドライバー
６５  列ドライバー
６７  ドライバーチップ
７０  受動部品
７１  ダイオード
【図１】
0004423434.tif 000002
【図２】
0004423434.tif 000003
【図３Ａ】
0004423434.tif 000004
【図３Ｂ】
0004423434.tif 000005
【図４】
0004423434.tif 000006
【図５】
0004423434.tif 000007
【図６】
0004423434.tif 000008
【図７】
0004423434.tif 000009
【図８】
0004423434.tif 000010
【図９】
0004423434.tif 000011
【図１０】
0004423434.tif 000012
【図１１】
0004423434.tif 000013
【図１２】
0004423434.tif 000014
【図１３】
0004423434.tif 000015